(57)【特許請求の範囲】
【請求項１】
浴室を構成する壁面を形成するための壁パネルであって、
浴室内に化粧面を向けた状態に配置される不燃化粧板と、
前記不燃化粧板の裏面の周縁部に沿って固着された耐錆性の金属製フレーム材と、
前記金属製フレーム材で囲まれた前記不燃化粧板の裏面全体を覆うように配置された補強板と、を備え、
前記不燃化粧板の化粧面側から前記補強板に対して雄ネジ部材が螺着可能である、浴室用壁パネル。
【請求項２】
前記補強板が木製合板である、請求項１に記載の浴室用壁パネル。
【発明の詳細な説明】
【技術分野】
【０００１】
本発明は、一般住宅の浴室あるいは養護施設や病院の共同浴室などの壁面部分を構築するために使用する浴室用壁パネルに関する。
【背景技術】
【０００２】
身体の不自由な人や高齢者などが入浴する場合、浴室内での歩行や浴槽への出入りの際の利便性や安全性を高めるため、入浴者の身体を支える手段の一つとして、浴室の壁面に手摺が設けられることが多い（例えば、特許文献１参照。）。従来の手摺は、特許文献１に記載された手摺のように、手摺体の両端部に設けられた円板状の取付板部を取付面（例えば、浴室の壁面）に当接させ、取付板部に開設された取付孔を介して取付ネジを取付面に向かってねじ込み止着することにより、手摺体が壁面に固定されている。
【０００３】
一方、本発明に関連する先行技術として、例えば、特許文献２に記載された「浴室用手摺の取付け構造」がある。この「浴室用手摺の取付け構造」は、ドライバーなどの工具を使用することなく、手作業にて、手摺の取付け位置を所定の位置に簡単に変更することができる、というものである。
【先行技術文献】
【特許文献】
【０００４】
【特許文献１】特開平１０−１３１４５３号公報
【特許文献２】特開平９−７０３６９号公報
【発明の概要】
【発明が解決しようとする課題】
【０００５】
特許文献１記載の「手摺」を浴室の壁面に取り付ける場合、ネジによる締め付け強度を確保するためには、壁面の厚みを取付ネジの全長と同等とする必要があるが、壁材の軽量化の要請あるいはコスト面の制約などがあり、実現が困難である。このため、従来の浴室の壁構造においては、壁面全体を必要な厚さとするのではなく、壁面の一部のみ、即ち、手摺体の取付板部を当接させる壁面部分（取付ネジをねじ込む部分）のみを厚くするという構造が採られている。
【０００６】
具体的には、手摺体の取付板部を当接させる部分の壁面の裏側に、必要な厚さの補強部材を貼着し、壁面の表面側から補強部材に向かって取付ネジをねじ込んで止着することにより、手摺体が壁面に固定されている。
【０００７】
従って、従来の浴室の場合、浴室が完成した後に、手摺の位置の変更が必要となった場合、変更したい位置の壁面の裏側に新たな補強材を貼着したり、変更したい位置の壁面の裏側に補強材が貼着された壁材に取り換えたりしなければならないので、施工後の手摺の位置変更が極めて困難であるのが実状である。また、従来の浴室の場合、施工後、新たな位置に手摺を取り付けることも困難である。
【０００８】
また、従来の浴室の場合、手摺の取付位置は、壁面の裏側に貼着された補強材の位置によって予め決まっているので、施工現場において、施工主などの要望に応じて、任意の位置に手摺を取り付けることも容易ではない。
【０００９】
一方、特許文献２に記載された「浴室用手摺の取付け構造」は、施工後も、手摺の取付け位置を変更することができるが、変更位置は、壁面において、予め手摺連結部材が取り付けられている部分に限定される。このため、施工後、手摺の取付位置を任意に変更することは極めて困難である。
【００１０】
そこで、本発明が解決しようとする課題は、浴室の壁面に対する手摺の取付位置を任意に設定したり、変更したりすることができ、また、施工後の手摺の追加取付も容易に行うことができる、浴室用壁パネルを提供することにある。
【課題を解決するための手段】
【００１１】
本発明の浴室用壁パネルは、
浴室を構成する壁面を形成するための壁パネルであって、
浴室内に化粧面を向けた状態に配置される不燃化粧板と、
前記不燃化粧板の裏面の周縁部に沿って固着された耐錆性の金属製フレーム材と、
前記金属製フレーム材で囲まれた前記不燃化粧板の裏面全体を覆うように配置された補強板と、を備え、
前記不燃化粧板の化粧面側から前記補強板に対して雄ネジ部材が螺着可能であることを特徴とする。
【００１２】
ここで、前記浴室用壁パネルにおいては、前記補強板に螺着された前記雄ネジ部材の引き抜き耐力は、特に限定しないが、前記雄ネジ部材を用いて当該浴室用パネルに取り付けられた手摺が、使用中にズレたり、離脱したりしない程度の安全性を確保することができるレベルであることが必須である。
【００１３】
また、前記浴室用壁パネルにおいては、前記補強板として、木材板を使用することができる。
【００１４】
さらに、前記浴室用壁パネルにおいては、前記補強板として、耐水性を有する木製合板（コンパネ：コンクリート型枠用合板パネル）を使用することができる。
【００１５】
一方、前記浴室用壁パネルにおいては、前記不燃化粧板の裏面の周縁部及び前記補強板の周縁部に沿って耐錆性の金属製フレーム材を配置している。
【発明の効果】
【００１６】
本発明により、浴室の壁面に対する手摺の取付位置を任意に設定したり、変更したりすることができ、また、施工後の手摺の追加取付も容易に行うことができる、浴室用壁パネルを提供することができる。
【図面の簡単な説明】
【００１７】
【図１】本発明の実施の形態である浴室用壁パネルの裏面側から見た斜視図である。
【図２】図１中のＡ−Ａ線における一部省略断面図である。
【図３】図１に示す浴室用壁パネルを使用して構築した浴室を示す一部省略平面図である。
【図４】図３中の矢線Ｂ方向から見た一部省略正面図である。
【図５】図４中の矢線Ｃで示す部分の拡大図である。
【図６】図３に示す浴室の壁面部分を示す一部省略水平断面図である。
【発明を実施するための形態】
【００１８】
以下、図１〜図６に基づいて、本発明の実施の形態である浴室用壁パネル１００及びこれを使用して構築した浴室２００について説明する。図１，図２に示す浴室用壁パネル１００は、図３，図４に示すような浴室２００を構成する壁面Ｗを形成するための資材である。
【００１９】
図１，図２に示すように、浴室用壁パネル１００は、浴室２００内に化粧面１０ａを向けた状態に配置される長方形の不燃化粧板１０と、不燃化粧板１０の裏面１０ｃにおいて、その４つの周縁部１０ｂに沿って角型鋼管１１ａ，１１ｂを固着することによって形成された防錆性の金属製フレーム材１１と、金属製フレーム材１１で囲まれた不燃化粧板１０の裏面１０ｃ全体を覆うように配置された補強板１２と、を備えている。補強板１２の表面１２ａと、不燃化粧板１０の裏面１０ｃとは密着状態に接着されている。角型鋼管１１ａ，１１ｂは防錆コーティングが施されている。
【００２０】
補強板１２は木材板が好適であるが、本実施形態では、補強板１２として、耐水性を有する木製合板（コンクリート型枠用合板パネル）を使用している。図２に示すように、浴室用壁パネル１００においては、不燃化粧板１０の化粧面１０ａ側から補強板１２に対して雄ネジ部材２０が螺着可能である。
【００２１】
図２に示すように、補強板１２の厚さ１２ｔは、角型鋼管１１ａ，１１ｂの正方形状の横断面の１辺の長さ１１ｘより小さく設定されているので、補強板１２の裏面１２ｂの周縁部と金属製フレーム材１１との間には段差が形成されている。補強板１２の裏面１２ｂには、長方形板状をした発泡合成樹脂製の複数のスペーサ１３が所定間隔を置いて貼着されている。スペーサ１３の露出面１３ａは、金属製フレーム材１１の背面と略同一平面をなしている。
【００２２】
図３，４に示すように、浴室２００は、設置面ＵＢの上に複数の支持脚１４を介して載置された床面材Ｆ及び浴槽ＢＴなどの周囲に、複数の浴室用壁パネル１００及び複数の引き戸Ｄなどを直立状態に配置し、これらの上面を覆うように天井材Ｔを取り付けることによって形成されている。
【００２３】
浴室２００の内部の壁面Ｗには、水平方向の手摺３０や垂直方向の手摺４０がそれぞれ複数、取り付けられている。図５に示すように、手摺４０は、その両端部分のエルボ部４１の端部に円板フランジ状に形成された取付部４２を壁面Ｗ（浴室用壁パネル１００を構成する不燃化粧板１０の化粧面１０ａ）に当接させ、取付部４２に開設された複数の貫通孔４２ａを通して、不燃化粧板１２の化粧面１０ａから補強板１２に向かってそれぞれ雄ネジ部材２０を螺着し、締め付けることによって壁面Ｗに固定されている。雄ネジ部材２０によって締め付け固定された取付部４２には、着脱可能なカバー４３が取り付けられるので、外部から見えない状態となる。壁面Ｗに対する水平方向の手摺３０の取付構造は、前述した手摺４０の取付構造と同じである。
【００２４】
浴室用壁パネル１００を構成する補強板１２は、不燃化粧板１０の裏面全体を覆うように貼着されているため、不燃化粧板１０において、その裏面１０ｃ側に補強板１２が存在している領域であれば、どの位置であっても、不燃化粧板１０の化粧面１０ａから補強板１２に向かって雄ネジ部材２０を螺着させることができる。
【００２５】
従って、浴室２００の壁面Ｗに対する手摺３０，４０の取付位置を任意に設定したり、変更したりすることができ、また、施工後（浴室２００が完成した後）に、手摺３０，４０を追加して取り付けることも容易である。なお、図５に示すように、不燃化粧板１０の化粧面１０ａから補強材１２に向かって螺着された雄ネジ部材２０を引き抜き耐力（雄ネジ部材２０を軸心方向に引き抜くのに必要な力）は、特に限定するものではないが、手摺３０，４０の使用中に、雄ネジ部材２０が緩んだり、あるいは手摺３０，４０がズレたり、壁面Ｗから外れたりしない程度の安全性を確保することができるレベルであることが必須である。
【００２６】
次に、図６に基づいて、浴室２００を形成する複数の浴室用壁パネル１００同士の連結構造などについて説明する。
【００２７】
図６に示すように、水平方向に隣接して配置された複数の浴室用壁パネル１００は、それぞれの金属製フレーム材１１を構成する垂直方向の角型鋼管１１ａ，１１ａ同士を密着させ、その両方の背面と密着するように平板状のジョイント部材１５を配置し、ジョイント部材１５を通して、それぞれの角型鋼管１１ａ，１１ａに雄ネジ部材２１，２１を螺着させることによって連結される。このとき、隣り合う不燃化粧板１０，１０の周縁部１０ｂ，１０ｂ（図１参照）の隙間には、防水用のシリコンシールＳが充填される。
【００２８】
一方、図６に示すように、浴室２００のコーナ部においては、浴室用壁パネル１００同士が直角をなすように配置されるので、横断面がＬ字形状をしたコーナージョイント部材１６と、横断面がＷ字形状をしたコーナージョイント部材１７と、を重ねて、隣り合う金属製フレーム材１１の角型鋼管１１ａ，１１ａを跨ぐように配置し、コーナージョイント部材１７を通して、角型鋼管１１ａ，１１ａに雄ネジ部材２１，２１を螺着させることによって連結される。このとき、直角をなして隣り合う不燃化粧板１０，１０の周縁部１０ｂ，１０ｂ（図１参照）の隙間には、防水用のシリコンシールＳが充填される。
【００２９】
なお、図１〜図６に基づいて説明した浴室用壁パネル１００は本発明の一例を示すものであり、本発明の浴室用パネルは、前述した浴室用パネル１００に限定されるものではない。
【産業上の利用可能性】
【００３０】
本発明の浴室用壁パネルは、一般住宅の浴室あるいは養護施設や病院の共同浴室などの壁面部分を構築するための資材として、建築業や建設業などの分野において広く利用することができる。
【符号の説明】
【００３１】
１０  不燃化粧板
１０ａ  化粧面
１０ｂ  周縁部
１０ｃ  裏面
１１  金属製フレーム材
１１ａ，１１ｂ  角型鋼管
１１ｘ  長さ
１２  補強板
１２ａ  表面
１２ｂ  裏面
１２ｔ  厚さ
１３  スペーサ
１３ａ  露出面
１４  支持脚
１５  ジョイント板
１６，１７  コーナージョイント部材
２０，２１  雄ネジ部材
３０，４０  手摺
４１  エルボ部
４２  取付部
４２ａ  貫通孔
４３  カバー
１００  浴室用壁パネル
２００  浴室
ＢＴ  浴槽
Ｄ  引き戸
Ｆ  床面材
Ｓ  シリコンシール
Ｔ  天井材
ＵＢ  設置面
Ｗ  壁面
【図１】
0006385979.tif 000002
【図２】
0006385979.tif 000003
【図３】
0006385979.tif 000004
【図４】
0006385979.tif 000005
【図５】
0006385979.tif 000006
【図６】
0006385979.tif 000007